(57)【要約】【課題】ペットのシャンプー後に行うドライヤー乾燥は、手間がかかり長時間を要した。またその際に生じる毛埃が部屋中に散乱し、掃除が手間であった。【解決手段】ペットの頭部を除く全身を入れることの出来る袋に、ドライヤーを連結させ、それらをスタンドで固定することにより、飼い主の両手が空き、容易かつスピーディーにペットを乾燥することができる。また、乾燥とブラッシングにより生じる毛埃が袋内部にたまるため、後処理が簡単に行える。【選択図】図１
2014209895.tif 000002
【特許請求の範囲】
【請求項１】
ペットをシャンプーした後のドライヤー乾燥およびブラッシングの際に用いるペット用乾燥装置であって、ペットを包む袋とその袋に連結されてエアーを供給するドライヤーと、上記袋およびドライヤーを固定するスタンドからなるペット用乾燥装置。
【請求項２】
前記ペットを包む袋は、耐熱素材からなり、袋の一辺にはドライヤーを取り付けるための後方開口部、さらにその反対側の一辺にはペットを入れるための前方開口部が設けられており、ドライヤーから送り込まれた温風が後方開口部から袋の中に取り込まれ、前方開口部から吹出して、内部のペットを乾燥できることを特徴とする請求項１記載のペット専用乾燥装置。
【発明の詳細な説明】
【技術分野】
【０００１】  この発明は、犬や猫などのペットをシャンプーした後に行う乾燥装置に関するものである。
【背景技術】
【０００２】  従来一般家庭用のペットのシャンプー後の乾燥機としては、通常のドライヤーを代用していた。また、ペットの美容室、若しくはペットのトリミングの訓練用学校等の専門的な所では、タイヤ付きの脚体に上下動自在な支柱が配設され、その支柱上に大型ドライヤーが取り付けられた大規模な装置が使用されていた。
【先行技術文献】
【特許文献】
【０００３】
【特許文献１】特開２００２−３０９１１６６号公報
【特許文献２】特開２００５−２６１２１７号公報
【発明の概要】
【発明が解決しようとする課題】
【０００４】  従来品の中の通常のドライヤーでは、片手でドライヤーを持つ乾燥作業を行わなければならないので、もう一方の手しか使えず、十分な乾燥が出来ないという問題や、縮れた毛をきちんと伸ばせない、またペットが暴れる、ペットを押さえながらでは大変という問題があった。また、専門店にあるような大規模な装置は高価すぎて、一般家庭用としては不向きであった。さらに、完全に被毛を乾燥するには、長時間を要するため、飼い主、ペットの両方に大変負担がかかっていた。加えて、ブラッシングによって発生する多くの被毛が部屋中に散乱することによる掃除の困難も課題であった。
【課題を解決するための手段】
【０００５】  以上の課題を解決するために、本発明はペットをシャンプーした後のドライヤー乾燥およびブラッシングの際に用いるペット用乾燥装置であって、ペットを包む袋とその袋に連結されてエアーを供給するドライヤーと上記袋およびドライヤーを固定するスタンドからなる。また、前記ペットを包む袋は、耐熱素材からなり、袋の一辺にはドライヤーを取り付けるための後方開口部、さらにその反対側の一辺にはペットを入れるための前方開口部が設けられており、ドライヤーから送り込まれた温風が後方開口部からその袋の中に取り込まれ、前方開口部から吹出して、内部のペットを乾燥できる。
【発明の効果】
【０００６】  本発明によれば、ドライヤーを持つことなく、両手を用いて短時間かつ効率よくペットを乾燥することができる。また乾燥およびブラッシングによって大量に生じるペットの毛埃が袋内にたまるため、部屋中にまき散らすことなく、掃除も簡単である。
【図面の簡単な説明】
【０００７】
【図１】本発明の実施形態の一例で、犬を乾燥させている状態の斜視図。
【図２】耐熱性素材の袋状本体の正面図
【図３】スタンド本体の正面図
【図４】スタンド本体の右側面図
【図５】スタンド本体の斜視図
【発明を実施するための形態と効果】
【０００８】  以下、本発明の実施形態の図面を参照して説明する。図１に本発明の実施形態を示す斜視図を表す。本発明はペットを入れる耐熱性素材の袋１とそれを支えるスタンド本体８とを組み合わせて用いる物である。
【０００９】  この袋１は四角状または球状、円筒状の透明な耐熱性素材からなる。この耐熱素材とは、９０℃まで耐え、透明度がよく、強度の高い低密度ポリエチレン（ＬＬＤＰＥ）等である。
【００１０】  袋１の一辺にペットを出し入れしやすいように、１つ穴または２つ穴のプラスチック製ストッパー付き固定用調整紐５を用いて、開閉自在にする顔出し用前方開口部４を設ける。
【００１１】  反対側の一辺には、後方開口部３を形成し、その後方開口部３の近傍に２カ所のひっかけ装着紐取り付け穴７を開け、引っ掛け装着紐２を取り付ける。
【００１２】  この装置紐２は、固定用調整紐５と同種の素材からなる。例えば、アクリル、ナイロン、綿、麻、レーヨンなど。前二カ所の穴の間に、ドライヤー吹出し口先端部挿入のための後方開口部３を設ける。また、袋１の側面２カ所にブラッシング用窓部６を設ける。
【００１３】  スタンド本体８は、例えばポリプロピレン樹脂（ＰＰ）、ポリスチレン樹脂（ＰＳ）、アクリロニトリルブタジエンスチレン樹脂（ＡＢＳ）などで出来ており、ドライヤー装着部１０はゴム板、例えば天然ゴム（ＮＲ）、合成ゴムのクロロプレンゴム（ＣＲ）、ニトリルゴム（ＮＢＲ）、エチレンプロピレンゴム（ＥＰＤＭ）、クロロプレンゴムスポンジ（ＣＲスポンジ）などで出来ており、ドライヤーＤの大小に対応できるよう、放射線状に切り込みを入れておく。
【００１４】  また、受け板２０はスタンド本体８と一体的に形成され、床面に安定して設置するための受け板部である。なお、スタンド本体８の安定性によっては、この受け板２０を省略しても良い。
【００１５】  ドライヤーＤのハンドル部の固定バンド１１は、面状ファスナー、例えばナイロン、ポリエチレンを設ける。固定バンド１１の絞め具合でドライヤー吹出し口の角度が調整できる。
【００１６】  袋１における引っかけ装置紐２をスタンド本体８における装着紐掛け部９に引っ掛ける。
【００１７】  次にドライヤーＤをスタンド本体８におけるドライヤー装着部１０に吹出し口がスタンド本体内部前方に向くよう設置し、ドライヤーＤのハンドル部分を固定バンド１１で固定する。ドライヤーＤの吹出し口を袋状本体１におけるドライヤー吹出し口先端部挿入口３から挿入する。ペットＰを袋状本体１に入れ、ペットＰの頭部を顔出し用前方開口部４から出し、ストッパー付き固定用調整紐５でペットＰの首に固定する。ドライヤーＤの電源を入れて、袋状本体１内に送風する。
【００１８】  このとき、袋状本体１の側面に２つ設けられているブラッシング用窓部６から手を入れ、ブラッシングを行う。袋状本体１が透明素材であることにより、体毛の乾き具合も判る。乾燥およびブラッシング終了後、ペットＰを取り出し、袋１に溜まった毛埃を取り除く。
【００１９】  この発明の実施形態によれば、ペットを包む袋にドライヤーがしっかりと連結されていることにより、飼い主がドライヤーを持ち続ける必要がないため、ペットを支えながら容易にブラッシングが出来る。さらに袋の中に効率よく温風が送り込まれているため、乾燥が効率よく行え、短時間で済むというメリットがある。また、乾燥・ブラッシング後に抜け落ちるペットの毛埃が袋の中に収まるため、後の掃除や処理が簡単に済むなどの効果がある。
【符号の説明】
【００２０】１  袋状本体                            ８  スタンド本体
２  ひっかけ装着紐                      ９  装着紐掛け部
３  ドライヤー吹出口先端部挿入用後方    １０  ゴム板ドライヤー装着部
開口部
４  顔出し用前方開口部                  １１  固定バンド
５  ストッパー付き固定用絞り紐          ２０  受け板
６  ブラッシング用窓部                  Ｐ  ペット
７  ひっかけ装着紐取り付け穴            Ｄ  ドライヤー
【図１】
2014209895.tif 000003
【図２】
2014209895.tif 000004
【図３】
2014209895.tif 000005
【図４】
2014209895.tif 000006
【図５】
2014209895.tif 000007